【事件の表示】
　特願２００１−　２２６００「ディジタル・カメラおよびその動作制御方法」拒絶査定不服審判事件〔平成１４年　８月１６日出願公開、特開２００２−２３２７５９〕について、次のとおり審決する。
【結　論】
　本件審判の請求は、成り立たない。
【理　由】
１．手続の経緯
　本願は、平成１３年１月３１日の出願であって、平成１８年７月１４日付け拒絶理由通知に対して平成１８年９月２５日付けで手続補正がなされたが、平成１８年１０月３１日付けで拒絶査定がなされ、これに対し、平成１９年１月１０日に拒絶査定に対する審判請求がなされるとともに、同年２月５日付けで手続補正がなされたものである。
　
２．平成１９年２月５日付けの手続補正についての補正却下の決定
[補正却下の決定の結論]
　平成１９年２月５日付けの手続補正を却下する。
[理由]
（１）補正後の本願発明
　本件補正により、特許請求の範囲の請求項１は、
「ディジタル・カメラがＵＳＢによってコンピュータと接続されたときに，ディジタル・カメラを，
ディジタル・カメラによって
を表わすデータを
のいずれか
ＵＳＢ
　上記コンピュータから与えられるDevice Requestを上記ＵＳＢを介して受信する第１の受信手段，
　上記第１の受信手段によりDevice Requestを受信したことに応じて，上記機能設定手段により設定された機能を表すデータを上記ＵＳＢを介して上記コンピュータに送信する送信手段，および
　上記コンピュータから送信され，かつ上記機能設定手段により設定された機能に対応するコマンドを上記ＵＳＢを介して受信する第２の受信手段，
　を備えたディジタル・カメラ。」と補正された。
　なお、下線部は補正箇所を示している。
　
　上記補正は、請求項１に記載した発明を特定するために必要な事項について限定を付加するものであって、平成１８年法律第５５号改正附則第３条第１項によりなお従前の例によるとされる同法による改正前特許法（以下、「平成１８年改正前特許法」という。）第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）刊行物
　原審拒絶理由で引用された、本願の出願日前である平成１２年４月７日に頒布された「特開２０００−９９６９７号公報」（以下、「刊行物１」という。）は、「画像入力システム及びその制御方法及び記録媒体」に関するものであって、その公報には次の事項が記載されている。
　
（ア）「本実施形態では、カメラを接続したときに、カメラの設定されているモードに従って、そのモードに対応したアプリケーションが起動し、カメラと接続して、所定の処理を自動的に実行する。
（中略）
ここでいう各モードとは、従来技術の欄で説明した撮影モード、再生モード、スライドショーモード、スティッチアシストモード等を指し、これらのモード設定は、カメラ本体のモードダイヤルスイッチや、プッシュスイッチ、カメラのＬＣＤパネルで表示されるメニュー等で設定される。
各モードで対応して動作するアプリケーションは具体的には以下のようになる。
（１）再生モードのときは、カメラ内の画像を表示し、ユーザがそれを閲覧できるソフト（ブラウザソフトと呼ぶ）が自動的に起動し、ブラウザソフトのウインドウにカメラ内の画像のサムネイルまたはオリジナル画像を自動的に読み込み表示する。
（２）撮影モードのときは、自動的にオンライン撮影モードとなり、オンライン撮影ソフトが自動的に起動し、画像のプレビュー画像を自動的に表示する。
（中略）
以下、各実施形態について説明する。
（第１の実施形態）図１は、第１の実施形態に用いられるデジタルカメラを示した図である。
図１において、１はＵＳＢ・Ｉ／ＦでありＰＣと接続される。２はモードダイヤルスイッチであり、再生モード２ａ、撮影モード２ｂ、スティッチアシストモード２ｃ、スライドショー再生モード２ｄ、電源Ｏｆｆ２ｅをもつ。３はＣＦ(Compact Flash TM)カードスロットである。
カメラ本体のみで使用する場合は、モードダイヤルスイッチを電源Ｏｆｆから他のモードに回し、電源をＯｎすると同時にその選択されたモードに入る。撮影モードのときは、ＬＣＤ４に画像のプレビューが表示され、レリーズスイッチ５を押すことによって画像が撮影され、ＣＦカード６に記録される。」（６頁段落【００３６】ないし７頁段落【００４３】）
　
（イ）「図３は、カメラとＰＣがＵＳＢで接続された状態を示す図である。
カメラがＰＣにつながれて、通信可能状態になるときとしては、図４に示す３つの状態がある。
まず、カメラが電源ｏｎ状態で、あるモードに設定されている（モードダイヤルスイッチであれば、そのダイヤルの設定位置によってセットされているモード）状態でＵＳＢで接続されたとき（ステップＳ４０１）である。この場合、カメラはＵＳＢに接続されたことを検知したタイミングで、そのときのモードに設定されていることを示すメッセージをＰＣに送信（ステップＳ４０６）する。」（７頁段落【００４７】ないし段落【００４９】、図３，４）
　
（ウ）「ＳＴＩ側では、上記の各モードのメッセージに対応して、それぞれ関連付けられたアプリケーションを起動する。これを図５に示す。
まず、モードダイアル２が再生モード２ａに設定された場合についての例を説明する。
図６に再生モードに関連付けられたブラウザソフトが起動し、自動的に行う動作を示す。
ステップＳ６０１で、カメラ内に画像が存在するかをチェックする。これは、図４のステップＳ４０８でのメッセージがＰＣ側に到着しているかどうかを見て判断する。
（中略）
画像がある場合には、ステップＳ６０４で画像の転送要求をカメラに送信する。カメラ側では、受信したメッセージが画像転送要求かどうかをチェックし（ステップＳ６０５）、既に最後の画像まで送信済みかどうかをチェックする（ステップＳ６０６）。まだ送っていない画像があるときは、ステップＳ６０８で画像データをブラウザソフトに送信する。ステップＳ６０９でブラウザソフトはこの画像データを受信し、ステップＳ６１０でこの画像データをＰＣの画面に表示する。
これを繰り返すことにより、自動的にすべてのカメラ内の画像データをカメラから読み込みＰＣで表示することができる。ユーザの操作からすると、モードダイアル２を再生モード２ａに設定しただけの操作で、自動的にすべてのカメラ内の画像を、ＰＣ上で表示することができる。」（７頁段落【００５３】ないし８頁段落【００５８】、図４、５、６）
　
（エ）「次に、モードダイアルがＲｅｃモード２ｂに設定された場合についての例を説明する。この場合、オンライン撮影ソフトが起動する。オンラインソフトの例を図８に図示する。カメラで現在見ている画像をウインドウ８０１中のプレビューエリア８０２にプレビュー表示する。ユーザはこれを見ながら、シャッターチャンスで８０３撮影ボタンを押すと、カメラは撮影を行い、撮影した画像データが８０４のウインドウに表示される。ユーザが保存ボタンを押すことで、画像ファイルとして保存できる。
図７にオンラインソフトが起動するときの動作をフローチャートで示す。
モードダイアル２がＲｅｃモード２ｂに設定されると、自動的にオンライン撮影ソフトが起動する。オンライン撮影ソフトは、まず縮小画像の送信要求をカメラに送信する（ステップＳ７０１）。この縮小画像は、プレビューエリア８０２に表示するための画像である。できるだけ滑らかに動くプレビュー表示にするために、多くのコマ数の画像を転送できるよう、撮影画像サイズと同じフルサイズの画像ではなく、縮小した画像を要求する。
カメラでは、これを受信すると（ステップＳ７０２）、縮小画像データを送信する（ステップＳ７０３）。オンライン撮影ソフトはこれをステップＳ７０４で受信し、ステップＳ７０５で先のプレビューエリア８０２に表示する。これを繰り返すことにより、プレビューエリア８０２には、現在カメラが写しているプレビュー画像が動画として表示されることになる。
ユーザが、撮影ボタン８０３を押すと、ステップＳ７０６のチェックでループから抜け、ステップＳ７０７で撮影画像の転送要求を送信する。カメラではこのメッセージを受信し（ステップＳ７０８）、撮影の動作を行い、撮影されたフルサイズの画像データを、ステップＳ７０９で送信する。これをオンライン撮影ソフトがステップＳ７１０で受信し、ステップＳ７１１で、図８のウインドウ８０４に表示する。
以上のように、ユーザがモードダイアル２をＲｅｃモード２ｂに設定するだけで、自動的にオンラインで画像をプレビューでき、ＰＣ側の撮影ボタンを押すだけで撮影をすることができるようになる。」（８頁段落【００６１】ないし段落【００６６】、図７）
　
　してみると、刊行物１には、以下の発明（以下、「刊行物発明」という。）が記載されている。
「ＵＳＢ・Ｉ／ＦでＰＣと接続され、モードダイヤルスイッチで、再生モード、撮影モードを設定でき、カメラが電源ｏｎ状態で、あるモードに設定されている状態でＵＳＢで接続されたとき、カメラはＵＳＢに接続されたことを検知したタイミングで、そのときのモードに設定されていることを示すメッセージをＰＣに送信するものであり、レリーズスイッチを押すことによって画像が撮影され、ＣＦカードに記録されるデジタルカメラであって、
　カメラの設定されているモードに従って、そのモードに対応したＰＣのアプリケーションが起動し、所定の処理を自動的に実行するものであり、
　再生モードのときは、再生モードに関連付けられたＰＣのブラウザソフトが起動し、カメラ内に画像が存在するかをチェックし、画像がある場合には、送信された画像の転送要求を受信し、受信したメッセージが画像転送要求かどうかをチェックし、既に最後の画像まで送信済みかどうかをチェックし、まだ送っていない画像があるときは、画像データをＰＣのブラウザソフトに送信し、これを繰り返すことにより、自動的にすべてのカメラ内の画像データをカメラから読み込みＰＣで表示することができ、
　撮影モードのときは、オンライン撮影ソフトが起動し、オンライン撮影ソフトからの、縮小画像の送信要求を受信すると、縮小画像データを送信し、ユーザが、ＰＣの撮影ボタンを押すことによる撮影画像の転送要求を受信し、撮影の動作を行い、撮影されたフルサイズの画像データを送信し、これをオンライン撮影ソフトがウインドウに表示することにより、自動的にオンラインで画像をプレビューでき、ＰＣ側の撮影ボタンを押すだけで撮影をすることができる、
デジタルカメラ。」
　　
（３）対比・判断
（ア）本願補正発明と刊行物発明との対比
　刊行物発明のものは、ＵＳＢ・Ｉ／ＦでＰＣと接続され、あるモードに設定されている状態でＵＳＢで接続されたとき、カメラはＵＳＢに接続されたことを検知したタイミングで、そのときのモードに設定されていることを示すメッセージをＰＣに送信するものであるから、本願発明でいう、「ディジタル・カメラがＵＳＢによってコンピュータと接続されたときに」、あるモードを機能させるものといえるところ、撮影モードのときは、オンライン撮影ソフトが起動し、オンライン撮影ソフトからの、縮小画像の送信要求を受信すると、縮小画像データを送信し、ユーザが、ＰＣの撮影ボタンを押すことによる撮影画像の転送要求を受信し、撮影の動作を行い、撮影されたフルサイズの画像データを送信し、これをオンライン撮影ソフトがウインドウに表示することにより、自動的にオンラインで画像をプレビューでき、ＰＣ側の撮影ボタンを押すだけで撮影をすることができるものであるから、刊行物発明のデジタルカメラはＰＣカメラとして機能しているといえるので、刊行物発明は、本願補正発明でいう、「ディジタル・カメラがＵＳＢによってコンピュータと接続されたときに、ディジタル・カメラを、ディジタル・カメラによって撮像した画像を表わすデータを上記コンピュータに送信するＰＣカメラとして機能させる」ことに相当する構成を備えている。
　そして、刊行物発明のものは、レリーズスイッチを押すことによって画像が撮影され、ＣＦカードに記録されるデジタルカメラであるから、カメラ内のＣＦカードに画像が記録されているものであるところ、再生モードのときは、カメラ内すなわちＣＦカードに画像が存在するかをチェックし、画像がある場合には、送信された画像の転送要求を受信し、受信したメッセージが画像転送要求かどうかをチェックし、既に最後の画像まで送信済みかどうかをチェックし、まだ送っていない画像があるときは、画像データをＰＣのブラウザソフトに送信し、これを繰り返すことにより、自動的にすべてのカメラ内の画像データをカメラから読み込みＰＣで表示するものであるから、メモリ・カードであるＣＦカード内の画像データによって表わされる画像をＰＣで表示するメモリ・カード・リーダとして機能しているといえるので、刊行物発明は、本願補正発明でいう、「メモリ・カードに記録されている画像データによって表される画像を上記コンピュータの表示装置の画面上に表示するメモリ・カード・リーダとして機能させる」ことに相当する構成を備えている。
　刊行物発明は、モードダイヤルスイッチで、再生モード、撮影モードを設定できるものであるから、刊行物発明は、本願補正発明でいう、上記機能の「いずれかを設定する機能設定手段」を備えている。
　そして、本願補正発明と刊行物発明とは、「ディジタル・カメラ」である点で一致している。
　
　したがって、両者は、
「ディジタル・カメラがＵＳＢによってコンピュータと接続されたときに、ディジタル・カメラを、ディジタル・カメラによって撮像した画像を表わすデータを上記コンピュータに送信するＰＣカメラとして機能させるか、メモリ・カードに記録されている画像データによって表される画像を上記コンピュータの表示装置の画面上に表示するメモリ・カード・リーダとして機能させるかのいずれかを設定する機能設定手段、
　を備えたディジタル・カメラ。」である点で一致し、次の点で相違しているものと認められる。
　
（相違点）
　本願補正発明は、設定が「ＵＳＢ」設定であり、「コンピュータから与えられるDevice RequestをＵＳＢを介して受信する第１の受信手段、上記第１の受信手段によりDevice Requestを受信したことに応じて、機能設定手段により設定された機能を表すデータを上記ＵＳＢを介して上記コンピュータに送信する送信手段、および上記コンピュータから送信され、かつ上記機能設定手段により設定された機能に対応するコマンドを上記ＵＳＢを介して受信する第２の受信手段」を備えているのに対し、刊行物発明の設定は、ＵＳＢ設定か明らかでなく、ＵＳＢに係るコマンドを送受信しているか明らかでない点。
　
（イ）相違点についての検討
　Device Requestを用いそれに応答してモードについてのデータを送信することもＵＳＢの規約に沿った周知のものであるところ、刊行物発明のディジタル・カメラも、ＵＳＢインターフェースを備え、それによりＵＳＢの規約に沿ってＰＣに接続しており、ディジタル・カメラのモードダイヤルスイッチで設定される再生モード、撮影モードに応じて、ＵＳＢを介してＰＣにデータを送信しているのであるから、両モードのいずれで機能させるかがＵＳＢ設定されたものであり、Device Requestを用いそれに応答してモードについてのデータを送信することによって、モードを示す情報を送受することは、当業者が適宜なし得る程度のことといえる。
　してみれば、ＵＳＢ設定し、コンピュータから与えられるDevice RequestをＵＳＢを介して受信する第１の受信手段、第１の受信手段によりDevice Requestを受信したことに応じて、機能設定手段により設定された機能を表すデータを上記ＵＳＢを介して上記コンピュータに送信する送信手段、および上記コンピュータから送信され、かつ上記機能設定手段により設定された機能に対応するコマンドを上記ＵＳＢを介して受信する第２の受信手段を備えたものとすることは、当業者が推考し難い格別のものであるとすることはできず、また本願補正発明の効果についてみても、上記構成の採用に伴って当然に予測される程度のものにすぎず、格別顕著なものがあるともいえない。　
　したがって、本願補正発明は、刊行物発明及び周知技術に基づいて、当業者が容易に発明をすることができたものであるから、特許法第２９条第２項の規定により特許出願の際独立して特許を受けることができないものである。
　
（４）むすび
　以上のとおり、本件補正は、平成１８年改正前特許法第１７条の２第５項で準用する同法第１２６条第５項の規定に違反するものであり、特許法第１５９条第１項において読み替えて準用する特許法第５３条第１項の規定により却下されるべきものである。
　
３．本願発明について
　平成１９年２月１５日付けの手続補正は上記のとおり却下されたので、本願の請求項に係る発明は、平成１８年９月２５日付け手続補正書において補正された明細書の特許請求の範囲の請求項１ないし３に記載された事項により特定されるものと認められるところ、その請求項１に係る発明（以下、「本願発明」という。）は以下のとおりのものである。
「ディジタル・カメラがＵＳＢによってコンピュータと接続されたときに，ディジタル・カメラを，撮像した画像を上記コンピュータに送信するＰＣカメラとして機能させるか，メモリ・カードに記録されている画像データによって表される画像を上記コンピュータの表示装置の画面上に表示するメモリ・カード・リーダとして機能させるかを設定する機能設定手段，
　上記コンピュータから与えられるDevice Requestを上記ＵＳＢを介して受信する第１の受信手段，
　上記第１の受信手段によりDevice Requestを受信したことに応じて，上記機能設定手段により設定された機能を表すデータを上記ＵＳＢを介して上記コンピュータに送信する送信手段，および
　上記コンピュータから送信され，かつ上記機能設定手段により設定された機能に対応するコマンドを上記ＵＳＢを介して受信する第２の受信手段，
　を備えたディジタル・カメラ。」
　
（１）刊行物
　原審拒絶理由に引用された刊行物、および、その記載事項は、前記「２．（２）」に記載したとおりである。
　
（２）対比・判断
　本願発明は、前記２．で検討した本願補正発明の限定事項である構成を省いたものである。
　そうすると、本願発明の特定事項を全て含み、さらに他の特定事項を付加したものに相当する本願補正発明が、前記「２．（３）」に記載したとおり、刊行物発明及び周知技術に基づいて、当業者が容易に発明をすることができたものであるから、本願発明も、同様の理由により、刊行物発明及び周知技術に基づいて、当業者が容易に発明をすることができたものである。
　
（３）むすび
　したがって、本願発明は、刊行物発明及び周知技術に基いて当業者が容易に発明をすることができたものであるので、本願は、特許法第２９条第２項の規定により特許を受けることができない。
　よって、結論のとおり審決する。